(57)【要約】【課題】設置するために必要な作業領域が大きくなるのを抑制することが可能な無停電電源装置を提供する。【解決手段】この無停電電源装置１００は、交流電源３からの交流電力が入力される入力側スイッチ部１１と、入力側スイッチ部１１に接続される電力変換部１３と、電力変換部１３からの交流電力を出力する出力側スイッチ部１６と、を各々含む複数の無停電電源モジュール１と、複数の無停電電源モジュール１を各々収納する複数の筐体３０と、複数の無停電電源モジュール１の入力側スイッチ部１１同士、および、出力側スイッチ部１６同士を連結する連結部材４０とを備える。そして、連結部材４０は、筐体３０の前面側からアクセス可能な位置に配置されている。【選択図】図３
2018026969.tif 000002
【特許請求の範囲】
【請求項１】
交流電源からの交流電力が入力される入力側スイッチ部と、前記入力側スイッチ部に接続される電力変換部と、前記電力変換部からの交流電力を出力する出力側スイッチ部と、を各々含む複数の無停電電源モジュールと、
前記複数の無停電電源モジュールを各々収納する複数の筐体と、
前記複数の無停電電源モジュールの前記入力側スイッチ部同士、および、前記出力側スイッチ部同士を連結する連結部材とを備え、
前記連結部材は、前記筐体の前面側からアクセス可能な位置に配置されている、無停電電源装置。
【請求項２】
前記連結部材は、前記入力側スイッチ部同士を接続する入力側連結部材と、前記出力側スイッチ部同士を連結する出力側連結部材とを含み、
前記入力側連結部材および前記出力側連結部材は、前記筐体内において、前記無停電電源モジュールの上部、前記無停電電源モジュールの下部、および、前記無停電電源モジュールの間、のうちのいずれかに配置されている、請求項１に記載の無停電電源装置。
【請求項３】
前記電力変換部は、前記筐体の下部に配置されているとともに、前記入力側スイッチ部および前記出力側スイッチ部は、前記電力変換部よりも上方に配置されており、
前記入力側連結部材および前記出力側連結部材は、共に、前記無停電電源モジュールの上部に配置されている、請求項２に記載の無停電電源装置。
【請求項４】
前記連結部材は、前記複数の無停電電源モジュールの前記入力側スイッチ部同士、および、前記出力側スイッチ部同士を連結する第１連結部材と、前記第１連結部材に並列に接続され、前記入力側スイッチ部同士の間に流れる電流の電流容量、および、前記出力側スイッチ部同士の間に流れる電流の電流容量を増加させるための第２連結部材とのうちの、少なくとも前記第１連結部材を含む、請求項１〜３のいずれか１項に記載の無停電電源装置。
【請求項５】
前記複数の無停電電源モジュールは、前記交流電源側から順に配置される第１無停電電源モジュール、第２無停電電源モジュール、および、第３無停電電源モジュールを含み、
前記第３無停電電源モジュールの前記入力側スイッチ部および前記出力側スイッチ部に各々接続される前記連結部材は、前記第１連結部材からなり、
前記第２無停電電源モジュールの前記入力側スイッチ部および前記出力側スイッチ部に各々接続される前記連結部材は、前記第１連結部材および前記第２連結部材からなり、
前記第１無停電電源モジュールの前記入力側スイッチ部および前記出力側スイッチ部に各々接続される前記連結部材は、前記第１連結部材および複数の前記第２連結部材からなる、請求項４に記載の無停電電源装置。
【請求項６】
前記入力側スイッチ部および前記出力側スイッチ部の各々と、前記第１連結部材とを締結する締結部材をさらに備え、
前記第１連結部材に並列に接続される前記第２連結部材は、前記締結部材を避けるように、湾曲した形状を有する、請求項４または５に記載の無停電電源装置。
【請求項７】
前記入力側スイッチ部および前記出力側スイッチ部の各々と、前記第１連結部材とを締結する締結部材をさらに備え、
前記第１連結部材に並列に接続される前記第２連結部材は、前記締結部材が貫通する穴部または切欠きのうちの少なくとも一方を含む、請求項４または５に記載の無停電電源装置。
【発明の詳細な説明】
【技術分野】
【０００１】
この発明は、無停電電源装置に関し、特に、複数の無停電電源モジュールを備える無停電電源装置に関する。
【背景技術】
【０００２】
従来、複数の無停電電源モジュールを備える無停電電源装置が知られている（たとえば、特許文献１参照）。
【０００３】
上記特許文献１には、負荷に対して並列に接続されている複数の無停電電源モジュールを備える無停電電源装置が開示されている。この無停電電源装置では、複数の無停電電源モジュールの入力側を互いに連結する配線（以下、入力側連結配線という）と、複数の無停電電源モジュールの出力側を互いに連結する配線（以下、出力側連結配線という）とが設けられている。
【０００４】
ここで、上記特許文献１に記載のような従来の無停電電源装置では、複数の無停電電源モジュールが配置された後、複数の無停電電源モジュールの入力側が入力側連結配線により連結されるとともに、複数の無停電電源モジュールの出力側が、出力側連結配線により連結される。そして、上記特許文献１に記載のような従来の無停電電源装置では、入力側連結配線と出力側連結配線とが、無停電電源モジュール（無停電電源モジュールを収納する筐体）の背面側に設けられている場合がある。
【先行技術文献】
【特許文献】
【０００５】
【特許文献１】特許第５７３２１３４号公報
【発明の概要】
【発明が解決しようとする課題】
【０００６】
しかしながら、入力側連結配線と出力側連結配線とが、無停電電源モジュール（無停電電源モジュールを収納する筐体）の背面側に設けられる従来の無停電電源装置では、無停電電源モジュールを壁面近傍に配置した場合、無停電電源モジュールと壁面との間に、入力側連結配線と出力側連結配線（連結部材）とを取り付けるための作業領域が必要になる。すなわち、無停電電源装置を設置するために必要な作業領域が大きくなるという問題点がある。
【０００７】
この発明は、上記のような課題を解決するためになされたものであり、この発明の１つの目的は、設置するために必要な作業領域が大きくなるのを抑制することが可能な無停電電源装置を提供することである。
【課題を解決するための手段】
【０００８】
この発明の一の局面による無停電電源装置は、交流電源からの交流電力が入力される入力側スイッチ部と、入力側スイッチ部に接続される電力変換部と、電力変換部からの交流電力を出力する出力側スイッチ部と、を各々含む複数の無停電電源モジュールと、複数の無停電電源モジュールを各々収納する複数の筐体と、複数の無停電電源モジュールの入力側スイッチ部同士、および、出力側スイッチ部同士を連結する連結部材とを備え、連結部材は、筐体の前面側からアクセス可能な位置に配置されている。
【０００９】
この発明の一の局面による無停電電源装置では、上記のように、複数の無停電電源モジュールの入力側スイッチ部同士、および、出力側スイッチ部同士を連結する連結部材を、筐体の前面側からアクセス可能な位置に配置する。これにより、連結部材が、筐体の前面側からアクセス可能な位置に配置されているので、無停電電源モジュールを壁面近傍に配置した場合でも、無停電電源モジュールと壁面との間に連結部材を取り付けるための作業領域を設ける必要がない。その結果、無停電電源装置を設置するために必要な作業領域が大きくなるのを抑制することができる。また、無停電電源装置を壁に近づけて設置することができるので、その分、無停電電源装置の前面側のスペースを有効利用することができる。
【００１０】
また、連結部材を無停電電源モジュールの背面側に設けて、無停電電源モジュールと壁面との間の比較的小さな作業領域で連結部材を取り付ける場合と異なり、連結部材の取り付け作業の作業性を向上させることができる。
【００１１】
上記一の局面による無停電電源装置において、好ましくは、連結部材は、入力側スイッチ部同士を接続する入力側連結部材と、出力側スイッチ部同士を連結する出力側連結部材とを含み、入力側連結部材および出力側連結部材は、筐体内において、無停電電源モジュールの上部、無停電電源モジュールの下部、および、無停電電源モジュールの間、のうちのいずれかに配置されている。このように構成すれば、入力側連結部材および出力側連結部材を、無停電電源モジュールを構成する機器の上部（上方）、機器の下部（下方）、または、機器の間に配置することにより、容易に、入力側連結部材および出力側連結部材を筐体の前面側に露出させることができる。
【００１２】
この場合、好ましくは、電力変換部は、筐体の下部に配置されているとともに、入力側スイッチ部および出力側スイッチ部は、電力変換部よりも上方に配置されており、入力側連結部材および出力側連結部材は、共に、無停電電源モジュールの上部に配置されている。このように構成すれば、入力側連結部材および出力側連結部材が、無停電電源モジュールの下部（地面の近傍）に配置されている場合と異なり、作業者の体勢が崩れることなく、入力側連結部材および出力側連結部材の取り付け作業を行うことができる。これにより、入力側連結部材および出力側連結部材の取り付け作業の作業性を向上させることができる。
【００１３】
上記一の局面による無停電電源装置において、好ましくは、連結部材は、複数の無停電電源モジュールの入力側スイッチ部同士、および、出力側スイッチ部同士を連結する第１連結部材と、第１連結部材に並列に接続され、入力側スイッチ部同士の間に流れる電流の電流容量、および、出力側スイッチ部同士の間に流れる電流の電流容量を増加させるための第２連結部材とのうちの、少なくとも第１連結部材を含む。このように構成すれば、連結部材を流れる電流量が増加した場合でも、容易に、第１連結部材に対して第２連結部材を並列に設けるだけで、連結部材の電流容量を増加させることができる。また、連結部材を流れる電流量が比較的小さい場合では、連結部材が第１連結部材のみを含むように構成することによって、連結部材が大型化するのを抑制することができる。
【００１４】
この場合、好ましくは、複数の無停電電源モジュールは、交流電源側から順に配置される第１無停電電源モジュール、第２無停電電源モジュール、および、第３無停電電源モジュールを含み、第３無停電電源モジュールの入力側スイッチ部および出力側スイッチ部に各々接続される連結部材は、第１連結部材からなり、第２無停電電源モジュールの入力側スイッチ部および出力側スイッチ部に各々接続される連結部材は、第１連結部材および第２連結部材からなり、第１無停電電源モジュールの入力側スイッチ部および出力側スイッチ部に各々接続される連結部材は、第１連結部材および複数の第２連結部材からなる。ここで、第１無停電電源モジュール、第２無停電電源モジュール、および、第３無停電電源モジュールの入力側スイッチ部同士、および、出力側スイッチ部同士を連結部材で連結する場合、電流の流れの上流側に配置される無停電電源モジュールの入力側スイッチ部に連結される連結部材には、自身の入力側スイッチ部へ流れる電流に加えて、電流の流れの下流側に配置される無停電電源モジュールの入力側スイッチ部へ流れる電流も流れる。同様に、電流の流れの下流側に配置される無停電電源モジュールの出力側スイッチ部に連結される連結部材には、自身の出力側スイッチ部から流れる電流に加えて、電流の流れの上流側に配置される無停電電源モジュールの出力側スイッチ部から流れる電流も流れる。そこで、上記のように構成することによって、入力電力の上流側（出力電力の下流側）に配置される連結部材の電流容量が、入力電力の下流側（出力電力の上流側）に配置される連結部材の電流容量よりも大きくなるので、電流容量を超えた電流が流れるのを抑制することができる。
【００１５】
上記連結部材が第１連結部材と第２連結部材とを含む無停電電源装置において、好ましくは、入力側スイッチ部および出力側スイッチ部の各々と、第１連結部材とを締結する締結部材をさらに備え、第１連結部材に並列に接続される第２連結部材は、締結部材を避けるように、湾曲した形状を有する。このように構成すれば、締結部材が第２連結部材の湾曲した形状により逃がされるので、締結部材と第２連結部材との機械的な干渉を避けることができる。
【００１６】
上記連結部材が第１連結部材と第２連結部材とを含む無停電電源装置において、好ましくは、入力側スイッチ部および出力側スイッチ部の各々と、第１連結部材とを締結する締結部材をさらに備え、第１連結部材に並列に接続される第２連結部材は、締結部材が貫通する穴部または切欠きのうちの少なくとも一方を含む。このように構成すれば、締結部材が穴部または切欠きにより逃がされるので、締結部材と第２連結部材との機械的な干渉を避けることができる。また、締結部材が穴部または切欠きのうちの少なくとも一方を貫通することによって、第２連結部材を湾曲させずに第１連結部材に重ねて配置することができる。これにより、連結部材が大型化するのを抑制することができる。
【発明の効果】
【００１７】
本発明によれば、上記のように、無停電電源装置を設置するために必要な作業領域が大きくなるのを抑制することができる。
【図面の簡単な説明】
【００１８】
【図１】本発明の第１実施形態による無停電電源装置の回路構成図である。
【図２】本発明の第１実施形態による無停電電源装置を模式的に示した正面図である。
【図３】本発明の第１実施形態による無停電電源装置の連結部材の側面図である。
【図４】本発明の第１実施形態による無停電電源装置の入力側連結部材の斜視図である。
【図５】本発明の第１実施形態による無停電電源装置の出力側連結部材の斜視図である。
【図６】本発明の第２実施形態による無停電電源装置の入力側連結部材の斜視図である。
【図７】本発明の第２実施形態による無停電電源装置の出力側連結部材の斜視図である。
【図８】本発明の第１および第２実施形態の第１変形例による無停電電源装置を模式的に示した正面図である。
【図９】本発明の第１および第２実施形態の第２変形例による無停電電源装置を模式的に示した正面図である。
【発明を実施するための形態】
【００１９】
以下、本発明を具体化した実施形態を図面に基づいて説明する。
【００２０】
［第１実施形態］
（回路構成）
まず、図１を参照して、第１実施形態による無停電電源装置１００の回路構成について説明する。
【００２１】
図１に示すように、無停電電源装置１００は、複数の無停電電源モジュール１（第１無停電電源モジュール１ａ、第２無停電電源モジュール１ｂ、第３無停電電源モジュール１ｃ）と、入出力モジュール２（Ｉ／Ｏモジュール）とを備えている。複数の無停電電源モジュール１は、互いに並列に配置されている。図２に示すように、複数の無停電電源モジュール１（第１無停電電源モジュール１ａ、第２無停電電源モジュール１ｂ、第３無停電電源モジュール１ｃ）は、互いに左右方向に隣接して配置されている。また、入出力モジュール２は、無停電電源モジュール１の左右方向（Ｘ方向）に隣接して配置されている。たとえば、図２では、入出力モジュール２を、複数の無停電電源モジュール１の左側（矢印Ｘ１方向側）に配置している。そして、無停電電源装置１００では、複数の無停電電源モジュール１と入出力モジュール２とは、後述する連結部材４０（入力側連結部材５０、出力側連結部材６０）を介して、互いに連結されている。
【００２２】
また、図１に示すように、無停電電源モジュール１は、入力側スイッチ部１１を含む。入力側スイッチ部１１は、交流電源３からの交流電力が入力される。入力側スイッチ部１１は、各相（Ｕ相、Ｖ相、Ｗ相）毎に、合計３つ設けられている。
【００２３】
また、無停電電源モジュール１は、入力フィルタ部１２を含む。入力フィルタ部１２は、入力側スイッチ部１１に接続されている。また、入力フィルタ部１２は、各相毎に、合計３つ設けられている。
【００２４】
また、無停電電源モジュール１は、電力変換部１３を含む。電力変換部１３は、入力フィルタ部１２を介して、入力側スイッチ部１１に接続されている。また、電力変換部１３は、整流回路１３ａと、チョッパ回路１３ｂと、インバータ回路１３ｃとを含む。また、電力変換部１３は、炭化珪素（ＳｉＣ）により構成された素子を含む。これにより、電力変換部１３は、シリコンにより構成された素子からなる場合に比べて、電力損失を低減し、電力損失に起因する発熱量が低減される。
【００２５】
整流回路１３ａは、電力変換部１３に入力される交流電力を直流電力に変換する機能を有する。チョッパ回路１３ｂは、たとえば、３レベルチョッパ回路として構成されている。すなわち、チョッパ回路１３ｂは、整流回路１３ａによって変換された直流電力の電圧を変圧して３レベルの電圧として出力する機能を有する。また、チョッパ回路１３ｂによって変圧された直流電力は、直流用リアクトル１４および直流用母線１４ａを介して、バッテリ部４に接続されている。
【００２６】
また、無停電電源モジュール１は、出力フィルタ部１５を含む。出力フィルタ部１５は、電力変換部１３のインバータ回路１３ｃに接続されている。また、出力フィルタ部１５は、各相毎に、合計３つ設けられている。
【００２７】
また、無停電電源モジュール１は、出力側スイッチ部１６を含む。出力側スイッチ部１６は、出力フィルタ部１５を介して、電力変換部１３からの交流電力を出力するように構成されている。また、出力側スイッチ部１６は、各相毎に、合計３つ設けられている。
【００２８】
また、無停電電源モジュール１は、入力側スイッチ部１１と入力フィルタ部１２との間に設けられる入力側フィルタコンデンサ１７を備えている。また、無停電電源モジュール１は、出力側スイッチ部１６と出力フィルタ部１５との間に設けられる出力側フィルタコンデンサ１８を備えている。
【００２９】
また、入力側スイッチ部１１、入力フィルタ部１２、電力変換部１３、出力フィルタ部１５、出力側スイッチ部１６、入力側フィルタコンデンサ１７、および、出力側フィルタコンデンサ１８は、複数の無停電電源モジュール１の各々に含まれている。
【００３０】
また、無停電電源装置１００は、直送回路２２を備えている。直送回路２２は、入出力モジュール２に設けられており、交流電源３と、複数の無停電電源モジュール１の出力側（負荷５側）とに接続されている。また、直送回路２２は、サイリスタスイッチ２２ａと、サイリスタスイッチ２２ａに直列に接続される機械式スイッチ２２ｂとを含む。また、直送回路２２は、互いに直列に接続されたサイリスタスイッチ２２ａおよび機械式スイッチ２２ｂに、並列に接続される機械式スイッチ２２ｃを含む。
【００３１】
（機器の配列に関する構成）
次に、図２を参照して、無停電電源モジュール１の筐体３０の内部における機器の配列に関する構成について説明する。
【００３２】
図２に示すように、無停電電源装置１００は、複数の無停電電源モジュール１を各々収納する複数の筐体３０を備えている。筐体３０は、箱形状を有する。そして、筐体３０の内部には、入力側スイッチ部１１、入力フィルタ部１２、電力変換部１３、直流用リアクトル１４、出力フィルタ部１５、出力側スイッチ部１６、入力側フィルタコンデンサ１７、および、出力側フィルタコンデンサ１８が収納されている。具体的には、筐体３０には、上方向（上面３１）から下方向（矢印Ｚ２方向）に向かって、入力側スイッチ部１１、入力側フィルタコンデンサ１７、入力フィルタ部１２、および、電力変換部１３（整流回路１３ａ、および、チョッパ回路１３ｂ）が、この順に、収納されている。また、筐体３０には、上方向（矢印Ｚ１方向）に向かって、電力変換部１３（インバータ回路１３ｃ）、出力フィルタ部１５、出力側フィルタコンデンサ１８、および、出力側スイッチ部１６が、この順に、収納されている。
【００３３】
ここで、第１実施形態では、無停電電源装置１００は、複数の無停電電源モジュール１の入力側スイッチ部１１同士、および、出力側スイッチ部１６同士を連結する連結部材４０を備えている。そして、連結部材４０は、筐体３０の前面側（矢印Ｙ１方向側）からアクセス可能な位置に配置されている。なお、筐体３０の前面側からアクセス可能な位置とは、筐体３０の前面端部から筐体３０の内部に向かって、一般的な作業者の腕の長さ分の領域における位置である。つまり、ユーザ（作業者）は、筐体３０の前面側から連結部材４０の取り付けやメンテナンスが可能である。また、「前面側」とは、無停電電源装置１００が壁際などに配置された場合、無停電電源装置１００の壁側（背面側）とは反対側を意味する。また、連結部材４０は、銅などの導線性を有する部材からなる。
【００３４】
また、筐体３０は、前面側（矢印Ｙ１方向側）を露出するように開閉可能な前面扉（図示せず）を含む。そして、連結部材４０は、前面扉が開かれた状態において、筐体３０の前面側からアクセス可能な位置に配置されている。
【００３５】
また、第１実施形態では、連結部材４０は、入力側スイッチ部１１同士を接続する入力側連結部材５０と、出力側スイッチ部１６同士を連結する出力側連結部材６０とを含む。そして、入力側連結部材５０および出力側連結部材６０は、筐体３０内において、無停電電源モジュール１の上部に配置されている。また、上記したように、電力変換部１３は、筐体３０の下部に配置されているとともに、入力側スイッチ部１１および出力側スイッチ部１６は、電力変換部１３よりも上方に配置されている。そして、入力側連結部材５０および出力側連結部材６０は、共に、無停電電源モジュール１の上部（入力側スイッチ部１１、および、出力側スイッチ部１６の上方）に配置されている。
【００３６】
また、図３に示すように、入力側連結部材５０は、出力側連結部材６０よりも上方に配置されている。すなわち、入力側スイッチ部１１の接続端子部１１ａは、出力側スイッチ部１６の接続端子部１６ａよりも上方まで延びるように設けられている。これにより、入力側スイッチ部１１の接続端子部１１ａに接続される入力側連結部材５０が、出力側スイッチ部１６の接続端子部１６ａに接続される出力側連結部材６０よりも上方に配置される。また、入力側連結部材５０は、出力側連結部材６０の鉛直上方に配置される。
【００３７】
なお、入力側連結部材５０は、入出力モジュール２の内部に接続されており、入出力モジュール２を介して、各々の入力側スイッチ部１１に、交流電力を伝達するように構成されている。また、出力側連結部材６０は、入出力モジュール２の内部に接続されており、入出力モジュール２を介して、各々の出力側スイッチ部１６から、負荷５に交流電力を供給するように構成されている。
【００３８】
また、第１実施形態では、図３および図４に示すように、連結部材４０は、複数の無停電電源モジュール１の入力側スイッチ部１１同士、および、出力側スイッチ部１６同士を連結する第１連結部材４１と、第１連結部材４１に並列に接続され、入力側スイッチ部１１同士の間に流れる電流の電流容量、および、出力側スイッチ部１６同士の間に流れる電流の電流容量を増加させるための第２連結部材４２とのうちの、少なくとも第１連結部材４１を含む。
【００３９】
具体的には、図３および図４に示すように、複数の無停電電源モジュール１は、交流電源３（入出力モジュール２）側から順に配置される第１無停電電源モジュール１ａ、第２無停電電源モジュール１ｂ、および、第３無停電電源モジュール１ｃを含む。そして、図４および図５に示すように、第３無停電電源モジュール１ｃの入力側スイッチ部１１に接続される連結部材（入力側連結部材５０ｃ）は、第１連結部材４１（第１連結部材４１ｃ）からなる。また、第３無停電電源モジュール１ｃの出力側スイッチ部１６に接続される連結部材（出力側連結部材６０ｃ）は、第１連結部材４１（第１連結部材４１ｆ）からなる。すなわち、第３無停電電源モジュール１ｃの入力側連結部材５０ｃおよび出力側連結部材６０ｃには、第２連結部材４２は含まれない。
【００４０】
また、第２無停電電源モジュール１ｂの入力側スイッチ部１１に接続される連結部材（入力側連結部材５０ｂ）は、第１連結部材４１（第１連結部材４１ｂ）および第２連結部材４２（第２連結部材４２ａ）からなる。また、第２無停電電源モジュール１ｂの出力側スイッチ部１６に接続される連結部材（出力側連結部材６０ｂ）は、第１連結部材４１（第１連結部材４１ｅ）および第２連結部材４２（第２連結部材４２ｄ）からなる。すなわち、第２無停電電源モジュール１ｂの入力側連結部材５０ｂおよび出力側連結部材６０ｂは、それぞれ、１つの第１連結部材４１と、１つの第２連結部材４２とを含む。
【００４１】
また、第１無停電電源モジュール１ａの入力側スイッチ部１１に接続される連結部材（入力側連結部材５０ａ）は、第１連結部材４１（第１連結部材４１ａ）および複数の第２連結部材４２（第２連結部材４２ｂ、４２ｃ）からなる。また、第１無停電電源モジュール１ａの出力側スイッチ部１６に接続される連結部材（出力側連結部材６０ａ）は、第１連結部材４１（第１連結部材４１ｄ）および複数の第２連結部材４２（第２連結部材４２ｅ、４２ｆ）からなる。具体的には、第１無停電電源モジュール１ａの入力側連結部材５０ａおよび出力側連結部材６０ａは、それぞれ、１つの第１連結部材４１と、２つの第２連結部材４２とを含む。
【００４２】
また、無停電電源装置１００は、３相（Ｕ相、Ｖ相およびＷ相）の交流電力が入力されるとともに、３相の交流電力を出力するように構成されている。そして、入力側連結部材５０ａ、５０ｂ、５０ｃ、出力側連結部材６０ａ、６０ｂおよび６０ｃは、それぞれ、３つずつ（３相３線式）設けられている。
【００４３】
また、第１実施形態では、入力側スイッチ部１１および出力側スイッチ部１６の各々と、第１連結部材４１とは、ボルト７０によって固定（締結）されている。そして、第１連結部材４１に並列に接続される第２連結部材４２は、ボルト７０を避けるように、湾曲した形状を有する。なお、ボルト７０は、特許請求の範囲の「締結部材」の一例である。
【００４４】
（入力側連結部材の詳細な構造）
以下では、入力側スイッチ部１１に接続される入力側連結部材５０の詳細な構造について説明する。
【００４５】
図４に示すように、交流電源３側と、第１無停電電源モジュール１ａの第１連結部材４１ａとは、接続板４３ａにより接続されている。また、第１無停電電源モジュール１ａの第１連結部材４１ａと、第２無停電電源モジュール１ｂの第１連結部材４１ｂとは、接続板４３ｂにより接続されている。また、第２無停電電源モジュール１ｂの第１連結部材４１ｂと、第３無停電電源モジュール１ｃの第１連結部材４１ｃとは、接続板４３ｃにより接続されている。なお、接続板４３ａ、４３ｂおよび４３ｃは、ボルト７０によって固定されている。そして、第２連結部材４２ａは、ボルト７０を避けながら、第２無停電電源モジュール１ｂの第１連結部材４１ｂと接続板４３ｂとに跨るように接続されている。第２連結部材４２ｂは、ボルト７０を避けながら、第１無停電電源モジュール１ａの第１連結部材４１ａと接続板４３ａとに跨るように接続されている。また、第２連結部材４２ｃは、ボルト７０を避けながら、接続板４３ａおよび接続板４３ｂに跨るように、かつ、第２連結部材４２ｂの上側に重なるように接続されている。なお、第２連結部材４２ａ、４２ｂおよび４２ｃは、湾曲した形状（略Ｕ字形状）を有する。
【００４６】
（出力側連結部材の詳細な構造）
以下では、出力側スイッチ部１６に接続される出力側連結部材６０の詳細な構造について説明する。
【００４７】
図５に示すように、負荷５側と、第１無停電電源モジュール１ａの第１連結部材４１ｄとは、接続板４３ｄにより接続されている。また、第１無停電電源モジュール１ａの第１連結部材４１ｄと、第２無停電電源モジュール１ｂの第１連結部材４１ｅとは、接続板４３ｅにより接続されている。また、第２無停電電源モジュール１ｂの第１連結部材４１ｅと、第３無停電電源モジュール１ｃの第１連結部材４１ｆとは、接続板４３ｆにより接続されている。なお、接続板４３ｄ、４３ｅおよび４３ｆは、ボルト７０によって固定されている。そして、第２連結部材４２ｄは、ボルト７０を避けながら、接続板４３ｅおよび接続板４３ｆに跨るように接続されている。第２連結部材４２ｅは、ボルト７０を避けながら、接続板４３ｄおよび接続板４３ｅに跨るように接続されている。また、第２連結部材４２ｆは、ボルト７０を避けながら、接続板４３ｄおよび接続板４３ｅに跨るように、かつ、第２連結部材４２ｅの上側に重なるように接続されている。なお、第２連結部材４２ｄ、４２ｅおよび４２ｆは、湾曲した形状（略Ｕ字形状）を有する。
【００４８】
（第１実施形態の効果）
第１実施形態では、以下のような効果を得ることができる。
【００４９】
第１実施形態では、上記のように、複数の無停電電源モジュール１の入力側スイッチ部１１同士、および、出力側スイッチ部１６同士を連結する連結部材４０を、筐体３０の前面側からアクセス可能な位置に配置する。これにより、連結部材４０が、筐体３０の前面側からアクセス可能な位置に配置されているので、無停電電源モジュール１を壁面近傍に配置した場合でも、無停電電源モジュール１と壁面との間に連結部材４０を取り付けるための作業領域を設ける必要がない。その結果、無停電電源装置１００を設置するために必要な作業領域が大きくなるのを抑制することができる。また、無停電電源装置１００を壁に近づけて設置することができるので、その分、無停電電源装置１００の前面側のスペースを有効利用することができる。
【００５０】
また、連結部材４０を無停電電源モジュール１の背面側に設けて、無停電電源モジュール１と壁面との間の比較的小さな作業領域で連結部材４０を取り付ける場合と異なり、連結部材４０の取り付け作業の作業性を向上させることができる。
【００５１】
また、第１実施形態では、上記のように、電力変換部１３は、筐体３０の下部に配置されているとともに、入力側スイッチ部１１および出力側スイッチ部１６は、電力変換部１３よりも上方に配置されており、入力側連結部材５０および出力側連結部材６０は、共に、無停電電源モジュール１の上部に配置されている。これにより、入力側連結部材５０および出力側連結部材６０を、無停電電源モジュール１を構成する機器の上部（上方）に配置することにより、容易に、入力側連結部材５０および出力側連結部材６０を筐体３０の前面側に露出させることができる。また、入力側連結部材５０および出力側連結部材６０が、無停電電源モジュール１の下部（地面の近傍）に配置されている場合と異なり、作業者の体勢が崩れることなく、入力側連結部材５０および出力側連結部材６０の取り付け作業を行うことができる。その結果、入力側連結部材５０および出力側連結部材６０の取り付け作業の作業性を向上させることができる。
【００５２】
また、第１実施形態では、上記のように、連結部材４０は、複数の無停電電源モジュール１の入力側スイッチ部１１同士、および、出力側スイッチ部１６同士を連結する第１連結部材４１と、第１連結部材４１に並列に接続され、入力側スイッチ部１１同士の間に流れる電流の電流容量、および、出力側スイッチ部１６同士の間に流れる電流の電流容量を増加させるための第２連結部材４２とのうちの、少なくとも第１連結部材４１を含む。これにより、連結部材４０を流れる電流量が増加した場合でも、容易に、第１連結部材４１に対して第２連結部材４２を並列に設けるだけで、連結部材４０の電流容量を増加させることができる。また、連結部材４０を流れる電流量が比較的小さい場合では、連結部材４０が第１連結部材４１のみを含むように構成することによって、連結部材４０が大型化するのを抑制することができる。
【００５３】
また、第１実施形態では、上記のように、第３無停電電源モジュール１ｃの入力側スイッチ部１１および出力側スイッチ部１６に各々接続される連結部材（入力側連結部材５０ｃおよび出力側連結部材６０ｃ）は、第１連結部材４１からなり、第２無停電電源モジュール１ｂの入力側スイッチ部１１および出力側スイッチ部１６に各々接続される連結部材（入力側連結部材５０ｂおよび出力側連結部材６０ｂ）は、第１連結部材４１および第２連結部材４２からなり、第１無停電電源モジュール１ａの入力側スイッチ部１１および出力側スイッチ部１６に各々接続される連結部材（入力側連結部材５０ａおよび出力側連結部材６０ａ）は、第１連結部材４１および複数の第２連結部材４２からなる。ここで、第１無停電電源モジュール１ａ、第２無停電電源モジュール１ｂ、および、第３無停電電源モジュール１ｃの入力側スイッチ部１１同士、および、出力側スイッチ部１６同士を連結部材４０で連結する場合、電流の流れの上流側に配置される無停電電源モジュール１の入力側スイッチ部１１に連結される連結部材には、自身の入力側スイッチ部１１へ流れる電流に加えて、電流の流れの下流側に配置される無停電電源モジュール１の入力側スイッチ部１１へ流れる電流も流れる。同様に、電流の流れの下流側に配置される無停電電源モジュール１の出力側スイッチ部１６に連結される連結部材には、自身の出力側スイッチ部１６から流れる電流に加えて、電流の流れの上流側に配置される無停電電源モジュール１の出力側スイッチ部１６から流れる電流も流れる。そこで、上記のように構成することによって、入力電力の上流側（出力電力の下流側）に配置される連結部材の電流容量が、入力電力の下流側（出力電力の上流側）に配置される連結部材の電流容量よりも大きくなるので、電流容量を超えた電流が流れるのを抑制することができる。
【００５４】
また、第１実施形態では、上記のように、入力側スイッチ部１１および出力側スイッチ部１６の各々と、第１連結部材４１とを締結するボルト７０を備える。そして、第１連結部材４１に並列に接続される第２連結部材４２は、ボルト７０を避けるように、湾曲した形状を有する。これにより、ボルト７０が第２連結部材４２の湾曲した形状により逃がされるので、ボルト７０と第２連結部材４２との機械的な干渉を避けることができる。
【００５５】
［第２実施形態］
次に、図６および図７を参照して、第２実施形態による無停電電源装置１１０の構成について説明する。第２実施形態による無停電電源装置１１０では、連結部材１４０に穴部１４４または切欠き１４５のうちの少なくとも一方が設けられている。
【００５６】
（入力側連結部材の詳細な構造）
以下では、入力側スイッチ部１１に接続される連結部材１４０（入力側連結部材１５０）の詳細な構造について説明する。
【００５７】
図６に示すように、第１無停電電源モジュール１ａの第１連結部材４１ａと、第２無停電電源モジュール１ｂの第１連結部材４１ｂとを接続する接続板１４３ａが設けられている。また、第２無停電電源モジュール１ｂの第１連結部材４１ｂと、第３無停電電源モジュール１ｃの第１連結部材４１ｃとを接続する接続板１４３ｂが設けられている。そして、第２無停電電源モジュール１ｂの第１連結部材４１ｂと、接続板１４３ａとを接続する第２連結部材１４２（１４２ａ）が設けられている。第２連結部材１４２ａは、第２無停電電源モジュール１ｂの第１連結部材４１ｂに並列に設けられ、湾曲した形状（略Ｕ字形状）を有する。
【００５８】
また、第１無停電電源モジュール１ａの第１連結部材４１ａの上方には、第１連結部材４１ａに重なるように、第１連結部材４１ａに並列に第２連結部材１４２（１４２ｂ）が設けられている。ここで、第２実施形態では、第１連結部材４１ａに並列に接続される第２連結部材１４２ｂは、ボルト７０（入力側スイッチ部１１と第１連結部材４１ａとを接続するボルト７０）が貫通する穴部１４４を含む。穴部１４４は、ボルト７０の数に対応するように、１つの第２連結部材１４２ｂに複数設けられている。また、第２連結部材１４２ｂは、平板形状（長方形の板形状）を有する。すなわち、穴部１４４によりボルト７０が貫通される（逃がされる）ので、上記第１実施形態のように、第２連結部材１４２ｂを湾曲させる必要がない。
【００５９】
（出力側連結部材の詳細な構造）
以下では、出力側スイッチ部１６に接続される連結部材１４０（出力側連結部材１６０）の詳細な構造について説明する。
【００６０】
図７に示すように、第２無停電電源モジュール１ｂの第１連結部材４１ｅに並列に第２連結部材１４２（１４２ｃ）が設けられている。第２連結部材１４２ｃは、略Ｕ字形状を有する。
【００６１】
また、第１無停電電源モジュール１ａの第１連結部材４１ｄに並列に第２連結部材１４２（１４２ｄ）が設けられている。ここで、第２実施形態では、第１連結部材４１ｄに並列に接続される第２連結部材１４２ｄは、ボルト７０（出力側スイッチ部１６と第１連結部材４１ｄとを接続するボルト７０）が貫通する切欠き１４５を含む。切欠き１４５は、ボルト７０の数に対応するように、１つの第２連結部材１４２ｄに複数設けられている。また、第２連結部材１４２ｄは、平板形状（長方形の板形状）を有する。すなわち、切欠き１４５によりボルト７０が貫通される（逃がされる）ので、上記第１実施形態のように、第２連結部材１４２ｄを湾曲させる必要がない。
【００６２】
（第２実施形態の効果）
第２実施形態では、以下のような効果を得ることができる。
【００６３】
第２実施形態では、上記のように、第１連結部材４１に並列に接続される第２連結部材１４２は、ボルト７０が貫通する穴部１４４または切欠き１４５のうちの少なくとも一方を含む。これにより、ボルト７０が穴部１４４または切欠き１４５により逃がされるので、ボルト７０と第２連結部材１４２との機械的な干渉を避けることができる。また、ボルト７０が穴部１４４または切欠き１４５のうちの少なくとも一方を貫通することによって、第２連結部材１４２を湾曲させずに第１連結部材４１に重ねて配置することができる。これにより、連結部材１４０が大型化するのを抑制することができる。
【００６４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更(変形例)が含まれる。
【００６５】
たとえば、上記第１および第２実施形態では、入力側連結部材および出力側連結部材が、筐体内において、無停電電源モジュールの上部に配置されている例を示したが、本発明はこれに限られない。たとえば、図８に示す第１変形例による無停電電源装置２００のように、入力側連結部材２０２を、無停電電源モジュール２０１の上部に配置し、出力側連結部材２０３を、無停電電源モジュール２０１の下部に配置してもよい。この場合、入力側スイッチ部１１、入力フィルタ部１２、整流回路１３ａ、チョッパ回路１３ｂ、直流用リアクトル１４、インバータ回路１３ｃ、出力フィルタ部１５、および、出力側スイッチ部１６がこの順で、上方向から下方向（矢印Ｚ２方向）に向かって配置されている。
【００６６】
また、図９に示す第２変形例による無停電電源装置２１０のように、入力側連結部材２１２および出力側連結部材２１３を、無停電電源モジュール２１１の間（たとえば、中央部近傍）に配置してもよい。すなわち、入力側連結部材２１２および出力側連結部材２１３が、無停電電源装置２１０を構成する、入力側スイッチ部１１、入力フィルタ部１２、電力変換部１３、直流用リアクトル１４、出力フィルタ部１５、および、出力側スイッチ部１６のいずれかの間に配置してもよい。さらに、入力側連結部材および出力側連結部材を、共に、無停電電源モジュールの下部に配置してもよい。
【００６７】
また、上記第１実施形態では、第３無停電電源モジュールが第１連結部材のみ（第２連結部材の数は０）を含み、第２無停電電源モジュールが１つの第１連結部材および１つの第２連結部材を含み、第１無停電電源モジュールが１つの第１連結部材および２つの第２連結部材を含む例を示したが、本発明はこれに限られない。本発明では、第２連結部材の数は、連結部材に流れる電流の大きさに対応させて調整される。すなわち、連結部材に流れる電流が比較的大きい場合には、第２連結部材の数が増加され、連結部材に流れる電流が比較的小さい場合には、第２連結部材の数が減少される（または０にされる）。
【００６８】
また、上記第１および第２実施形態では、無停電電源装置に、無停電電源モジュールが３つ設けられる例を示したが、本発明はこれに限られない。たとえば、無停電電源装置に、無停電電源モジュールが２つ、または、４つ以上設けられていてもよい。
【００６９】
また、上記第１実施形態では、第２連結部材がボルトを避けるように略Ｕ字形状を有する例を示したが、本発明はこれに限られない。本発明では、第２連結部材は、ボルトを避けるような形状を有していればよく、たとえば、第２連結部材が円弧形状などを有していてもよい。
【００７０】
また、上記第２実施形態では、略Ｕ字形状を有する第２連結部材と、穴部または切欠きを含む平板形状を有する第２連結部材とが設けられる（混在する）例を示したが、本発明はこれに限られない。たとえば、穴部または切欠きを含む平板形状を有する第２連結部材のみから第２連結部材が構成されていてもよい。
【００７１】
また、上記第１および第２実施形態では、無停電電源装置が３相３線式（つまり、１つの無停電電源モジュールに対して、入力側連結部材および出力側連結部材が各々３つずつ設けられている）例を示したが、本発明はこれに限られない。たとえば、３相４線式の無停電電源装置に本発明を適用してもよい。この場合、１つの無停電電源モジュールに対して、入力側連結部材および出力側連結部材が各々４つずつ設けられる。
【符号の説明】
【００７２】
１  無停電電源モジュール
１ａ  第１無停電電源モジュール
１ｂ  第２無停電電源モジュール
１ｃ  第３無停電電源モジュール
３  交流電源
１１  入力側スイッチ部
１３  電力変換部
１６  出力側スイッチ部
３０、２０１、２１１  筐体
４０  連結部材
４１、４１ａ〜４１ｆ  第１連結部材
４２、４２ａ〜４２ｆ、１４２、１４２ａ〜１４２ｄ  第２連結部材
５０、５０ａ〜５０ｃ  入力側連結部材
６０、６０ａ〜６０ｃ  出力側連結部材
７０  ボルト（締結部材）
１００、２００、２１０無停電電源装置
１４４  穴部
１４５  切欠き
【図１】
2018026969.tif 000003
【図２】
2018026969.tif 000004
【図３】
2018026969.tif 000005
【図４】
2018026969.tif 000006
【図５】
2018026969.tif 000007
【図６】
2018026969.tif 000008
【図７】
2018026969.tif 000009
【図８】
2018026969.tif 000010
【図９】
2018026969.tif 000011
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
交流電源からの交流電力が入力される入力側スイッチ部と、前記入力側スイッチ部に接続される電力変換部と、前記電力変換部からの交流電力を出力する出力側スイッチ部と、を各々含む複数の無停電電源モジュールと、
複数の前記無停電電源モジュールの前記入力側スイッチ部同士、および、前記出力側スイッチ部同士を連結する第１連結部材と、
前記第１連結部材に並列に接続される第２連結部材と、を備え、
前記第１連結部材と前記第２連結部材とは、前記無停電電源モジュールの前面側からアクセス可能な位置に配置されている、無停電電源装置。
【請求項２】
前記第２連結部材は、前記無停電電源モジュールの数に比例した電流容量を有する、請求項１に記載の無停電電源装置。
【請求項３】
前記第２連結部材は、前記交流電源の近くに接続されている前記無停電電源モジュール側ほど大きい電流容量を有する、請求項１または２に記載の無停電電源装置。
【請求項４】
前記第１連結部材は、
前記入力側スイッチ部同士を接続する入力側連結部材と、
前記出力側スイッチ部同士を連結する出力側連結部材と
を含み、
前記入力側連結部材および前記出力側連結部材は、
前記無停電電源モジュールの上部、前記無停電電源モジュールの下部、および、前記無停電電源モジュールの間、のうちのいずれかに配置されている、請求項１〜３のいずれか１項に記載の無停電電源装置。
【請求項５】
前記電力変換部は、
前記無停電電源モジュールの下部に配置されているとともに、前記入力側スイッチ部および前記出力側スイッチ部は、前記電力変換部よりも上方に配置されており、
前記入力側連結部材および前記出力側連結部材は、共に、前記無停電電源モジュールの上部に配置されている、請求項４に記載の無停電電源装置。
【請求項６】
複数の前記無停電電源モジュールは、前記交流電源側から順に配置される第１無停電電源モジュール、第２無停電電源モジュール、および、第３無停電電源モジュールを含み、
前記第３無停電電源モジュールの前記入力側スイッチ部および前記出力側スイッチ部に各々接続される連結部材は、前記第１連結部材からなり、
前記第２無停電電源モジュールの前記入力側スイッチ部および前記出力側スイッチ部に各々接続される連結部材は、前記第１連結部材および前記第２連結部材からなり、
前記第１無停電電源モジュールの前記入力側スイッチ部および前記出力側スイッチ部に各々接続される連結部材は、前記第１連結部材および複数の前記第２連結部材からなる、請求項１〜５のいずれか１項に記載の無停電電源装置。
【請求項７】
前記入力側スイッチ部および前記出力側スイッチ部の各々と、前記第１連結部材とを締結する締結部材をさらに備え、
前記第２連結部材は、前記締結部材を避けるように、湾曲した形状を有する、請求項１〜６のいずれか１項に記載の無停電電源装置。
【請求項８】
前記入力側スイッチ部および前記出力側スイッチ部の各々と、前記第１連結部材とを締結する締結部材をさらに備え、
前記第２連結部材は、前記締結部材が貫通する穴部または切欠きのうちの少なくとも一方を含む、請求項１〜６のいずれか１項に記載の無停電電源装置。
【手続補正２】
【補正対象書類名】明細書
【補正対象項目名】０００８
【補正方法】変更
【補正の内容】
【０００８】
この発明の一の局面による無停電電源装置は、交流電源からの交流電力が入力される入力側スイッチ部と、入力側スイッチ部に接続される電力変換部と、電力変換部からの交流電力を出力する出力側スイッチ部と、を各々含む複数の無停電電源モジュールと、複数の無停電電源モジュールの入力側スイッチ部同士、および、出力側スイッチ部同士を連結する第１連結部材と、第１連結部材に並列に接続される第２連結部材と、を備え、第１連結部材と第２連結部材とは、無停電電源モジュールの前面側からアクセス可能な位置に配置されている。
【手続補正３】
【補正対象書類名】明細書
【補正対象項目名】００１０
【補正方法】変更
【補正の内容】
【００１０】
また、連結部材を無停電電源モジュールの背面側に設けて、無停電電源モジュールと壁面との間の比較的小さな作業領域で連結部材を取り付ける場合と異なり、連結部材の取り付け作業の作業性を向上させることができる。
また、連結部材を流れる電流量が増加した場合でも、容易に、第１連結部材に対して第２連結部材を並列に設けるだけで、連結部材の電流容量を増加させることができる。また、連結部材を流れる電流量が比較的小さい場合では、連結部材が第１連結部材のみを含むように構成することによって、連結部材が大型化するのを抑制することができる。
上記一の局面による無停電電源装置において、好ましくは、第２連結部材は、無停電電源モジュールの数に比例した電流容量を有する。
上記一の局面による無停電電源装置において、好ましくは、第２連結部材は、交流電源の近くに接続されている無停電電源モジュール側ほど大きい電流容量を有する。
【手続補正４】
【補正対象書類名】明細書
【補正対象項目名】００１１
【補正方法】変更
【補正の内容】
【００１１】
上記一の局面による無停電電源装置において、好ましくは、第１連結部材は、入力側スイッチ部同士を接続する入力側連結部材と、出力側スイッチ部同士を連結する出力側連結部材とを含み、入力側連結部材および出力側連結部材は、無停電電源モジュールの上部、無停電電源モジュールの下部、および、無停電電源モジュールの間、のうちのいずれかに配置されている。このように構成すれば、入力側連結部材および出力側連結部材を、無停電電源モジュールを構成する機器の上部（上方）、機器の下部（下方）、または、機器の間に配置することにより、容易に、入力側連結部材および出力側連結部材を筐体の前面側に露出させることができる。
【手続補正５】
【補正対象書類名】明細書
【補正対象項目名】００１２
【補正方法】変更
【補正の内容】
【００１２】
この場合、好ましくは、電力変換部は、無停電電源モジュールの下部に配置されているとともに、入力側スイッチ部および出力側スイッチ部は、電力変換部よりも上方に配置されており、入力側連結部材および出力側連結部材は、共に、無停電電源モジュールの上部に配置されている。このように構成すれば、入力側連結部材および出力側連結部材が、無停電電源モジュールの下部（地面の近傍）に配置されている場合と異なり、作業者の体勢が崩れることなく、入力側連結部材および出力側連結部材の取り付け作業を行うことができる。これにより、入力側連結部材および出力側連結部材の取り付け作業の作業性を向上させることができる。
【手続補正６】
【補正対象書類名】明細書
【補正対象項目名】００１３
【補正方法】削除
【補正の内容】
【手続補正７】
【補正対象書類名】明細書
【補正対象項目名】００１５
【補正方法】変更
【補正の内容】
【００１５】
上記一の局面による無停電電源装置において、好ましくは、入力側スイッチ部および出力側スイッチ部の各々と、第１連結部材とを締結する締結部材をさらに備え、第２連結部材は、締結部材を避けるように、湾曲した形状を有する。このように構成すれば、締結部材が第２連結部材の湾曲した形状により逃がされるので、締結部材と第２連結部材との機械的な干渉を避けることができる。
【手続補正８】
【補正対象書類名】明細書
【補正対象項目名】００１６
【補正方法】変更
【補正の内容】
【００１６】
上記一の局面による無停電電源装置において、好ましくは、入力側スイッチ部および出力側スイッチ部の各々と、第１連結部材とを締結する締結部材をさらに備え、第２連結部材は、締結部材が貫通する穴部または切欠きのうちの少なくとも一方を含む。このように構成すれば、締結部材が穴部または切欠きにより逃がされるので、締結部材と第２連結部材との機械的な干渉を避けることができる。また、締結部材が穴部または切欠きのうちの少なくとも一方を貫通することによって、第２連結部材を湾曲させずに第１連結部材に重ねて配置することができる。これにより、連結部材が大型化するのを抑制することができる。